(57)【要約】【課題】ベース本体部に対するリベットの回転を防止することによって、ワイパーブレードのガタツキ及びジャダの発生を抑制することが可能なクリップベースを提供する。【解決手段】本発明に係るクリップベース２０は、ワイパーアームに係合するクリップフォルダ２１と、対向する側壁部２７、２７により構成される収納部２６を有し、収納部２６にクリップフォルダ２１を収納するベース本体部２２と、側壁部２７、２７に貫設されてベース本体部２２にクリップフォルダ２１を回転自在に軸支させるリベット２３とを備えている。ベース本体部２２は、リベット２３の頭部２４に係止してリベット２４の回転を防止する係止部３０、３０を側壁部２７に有している。【選択図】  図１
2005053283.tif 000002
【特許請求の範囲】
【請求項１】
ワイパーアームに係合するクリップフォルダと、
対向する側壁部により構成される収納部を有し、該収納部に前記クリップフォルダを収納するベース本体部と、
前記側壁部に貫設されて前記ベース本体部に前記クリップフォルダを回転自在に軸支させるリベットとを備えるクリップベースにおいて、
前記ベース本体部は、前記リベットの頭部に係止して当該リベットの回転を防止する係止部を前記側壁部に有することを特徴とするクリップベース。
【請求項２】
前記頭部は、平面視外周辺の少なくとも一部に直線部を備えた外形状を呈していることを特徴とする請求項２に記載のクリップベース。
【発明の詳細な説明】
【０００１】
【発明の属する技術分野】
本発明はワイパーアームに係合するクリップフォルダと、対向する側壁部により構成される収納部を有し、この収納部にクリップフォルダを収納するベース本体部と、側壁部に貫設されてベース本体部にクリップフォルダを回転自在に軸支させるリベットとを備えるクリップベースに関する。
【０００２】
【従来の技術】
自動車用のワイパーには、ワイパーアームに対してワイパーブレードが回動可能に取り付けられており、ワイパーブレードは、ワイパーアームの可動に応じてフロントウィンドウ等に付着した雨滴の払拭を行う。
【０００３】
一般的なワイパーブレードは、払拭面の曲表面に対して均等に付勢力を加えるために、プレイマリレバー、セカンダリレバー、ヨーク等の複数のアームをトーナメント状に組み立てたアーム本体部と、払拭面を払拭するリフィールとにより構成されている。プライマリレバーの略中央には、ワイパーアームの先端との係合を行うクリップベースが形成されている。
【０００４】
図３に示すように、クリップベース１は、ワイパーアームに係合するクリップフォルダ２と、クリップフォルダ２を保持するベース本体部３と、クリップベース２をベース本体部３に軸支させるリベット４とを有している。
【０００５】
ベース本体部３はプライマリレバーと一体に形成されており、中央部にクリップフォルダ２を収納するための収納部５が形成されている。収納部５は、対向する側壁部６、６により形成されており、側壁部６、６には、リベット４が貫設される貫設孔７、７が形成されている。
【０００６】
リベット４は、頭部１０と軸部１１とにより構成されている。頭部１０は平面視円形状を呈している。
【０００７】
クリップフォルダ２には、ワイパーアームの先端のＵ字フックに係合するための案内溝１２が形成され、案内溝１２にはＵ字フックと係合するコネクタ片１３が形成されている。Ｕ字フックが案内溝１２に沿ってクリップフォルダ２に案内されてＵ字フックの先端がコネクタ片１３に達すると、コネクタ片１３とＵ字フックの先端とが係合してワイパーアームがクリップフォルダ２に係合される。また、クリップフォルダ２にはリベット４の軸部１１が貫通する貫通孔１５が形成されている。
【０００８】
クリップフォルダ２は、ベース本体部３の収納部５にクリップフォルダ２を収納し、クリップフォルダ２の貫通孔１５とベース本体部３の貫設孔７、７とを連設させた状態で、貫通孔１５及び貫設孔７、７に対してリベット４の軸部１１を挿通させてから、リベット４の軸部下端１１ａをかしめることによって、図４に示すように、ベース本体部３に回動可能に軸支される（例えば、特許文献１参照。）。
【０００９】
【特許文献１】
特開平４−３３４６４４号公報（第１図）
【００１０】
【発明が解決しようとする課題】
しかしながら、上述したクリップベース１において、リベット４が十分にかしめられていない場合には、リベット４がベース本体部３に対して回転しやすくなり、リベット４の回転によって、ワイパーブレード動作時に貫設孔７の孔径拡大等が生じてガタが生じやすくなったり、ジャダを発生させやすくなったりするという問題があった。
【００１１】
また、リベット４の軸部１１の径が、貫設部７の孔径より小さい場合にも、リベット４がベース本体部３に対して回転しやすくなるので、同様の問題が生じていた。
【００１２】
本発明は上記の問題に鑑みてなされたものであり、ベース本体部に対するリベットの回転を防止することによって、ワイパーブレードのガタツキ及びジャダの発生を抑制することが可能なクリップベースを提供することを課題とする。
【００１３】
【課題を解決するための手段】
上記課題を解決するために、請求項１に記載の発明は、ワイパーアームに係合するクリップフォルダと、対向する側壁部により構成される収納部を有し、該収納部に前記クリップフォルダを収納するベース本体部と、前記側壁部に貫設されて前記ベース本体部に前記クリップフォルダを回転自在に軸支させるリベットとを備えるクリップベースにおいて、前記ベース本体部は、前記リベットの頭部に係止して当該リベットの回転を防止する係止部を前記側壁部に有するクリップベースであることを特徴とする。
【００１４】
請求項２に記載の発明は、請求項１に記載のクリップベースにおいて、前記頭部が、平面視外周辺の少なくとも一部に直線部を備えた外形状を呈していることを特徴とする。
【００１５】
【発明の実施の形態】
以下、本発明に係るクリップベースを、図面を用いて説明する。
【００１６】
図１に示すように、クリップベース２０は、ワイパーアームに係合するクリップフォルダ２１と、クリップフォルダ２１を保持するベース本体部２２と、クリップベース２１をベース本体部２２に軸支させるリベット２３とを有している。
【００１７】
リベット２３は、頭部２４と軸部２５とにより構成されている。頭部２４は平面視略長方形状を呈している。
【００１８】
ベース本体部２２は、プライマリレバーの中央部に一体に形成されている。ベース本体部２２には、クリップフォルダ２１を収納するための収納部２６が形成されている。収納部２６は、対向する側壁部２７、２７により形成されており、側壁部２７、２７には、リベット２３が貫設される貫設孔２８、２８が形成されている。また、側壁部２７の外側面には、貫設孔２８近傍に２つの係合凸部３０、３０が形成されており、係合凸部３０、３０は、貫設孔２８にリベット２３が貫設された場合に、頭部２４の下端部２４ａに当接してリベット２３の回転を防止する役割を有している。
【００１９】
クリップフォルダ２１は、ワイパーアームの先端のＵ字フックに係合するための案内溝３１が形成されており、案内溝３１にはＵ字フックと係合するコネクタ片３２が形成されている。Ｕ字フックが案内溝３１に沿ってクリップフォルダ２１に案内されてＵ字フックの先端がコネクタ片３２に達すると、コネクタ片３２とＵ字フックの先端とが係合してワイパーアームがクリップフォルダ２１に係合される。また、クリップフォルダ２１にはリベット２３の軸部２５が貫通する貫通孔３４が形成されている。
【００２０】
クリップフォルダ２１をベース本体部２２に取り付けるには、まず、ベース本体部２２の収納部２６にクリップフォルダ２１を収納し、クリップフォルダ２１の貫通孔３４とベース本体部２２の貫設孔２８とを連設させた状態で、図２に示すように、貫通孔３４及び貫設孔２８に対してリベット２３の軸部２５を挿通させる。リベット２３を貫通孔３４及び貫設孔２８に挿通させた後、頭部２４の下端部２４ａが係合凸部３０に係止されるようにリベット２３の位置調整を行ってから、リベット２３の軸部下端２５ａをかしめることによって、クリップフォルダ２１がベース本体部２２に回動可能に軸支される。
【００２１】
このように、リベット２３の頭部２４を略長方形状とし、ベース本体部２２の側壁部２７に頭部２４に係合する係合凸部３０を形成することにより、リベット２３の頭部２４の位置決めが行われるため、リベット２３の回転を防止することができ、リベット２３と貫設孔２８とのガタの発生及びガタ発生に伴うジャダの発生を抑制することが可能となる。
【００２２】
また、係合凸部３０と頭部２４との係合によりリベット２３の位置決めがなされるため、リベット２３の軸部２５の径と貫設孔２８の孔径とに違いにより、又はリベット２３をかしめる力のバラツキ等により、リベット２３とベース本体部２２（プライマリレバー）とに生じるゆるみを抑制することが可能となる。
【００２３】
さらに、リベット２３の頭部２４の長辺Ｒの長さ及び係合凸部３０、３０の間隔を調整することによって、ガタの発生を抑制することが可能となる。また、係合凸部３０と頭部２４との係合によってリベット２３のかしめのバラツキを吸収することも可能となる。
【００２４】
以上、本発明に係るクリップベースを、図面を用いて説明したが、本発明に係るクリップベースは上述したものに限定されるわけではない。リベット２３の頭部２４の形状は、略長方形状に限定されるものではなく、係合凸部３０、３０により頭部の回転が規制される形状であればよい。例えば、係合凸部３０、３０に係合する形状で有れば、頭部は楕円形状であってもよく、また、三角形、五角形、六角形等の多角形状であっても良い。係合凸部３０も、頭部２４に当接して頭部２４の回転を規制できる構造で有れば良く、側壁部２７の外側に突き出したものであってもよく、また、外側に側壁部２７の一部が切り起こされたものであっても良い。
【００２５】
さらに、発明の実施の形態においては、ベース本体部２２がプライマリレバーに一体に形成されている場合を説明したが、ベース本体部２２とプライマリレバーとが別体であっても良い。例えば、トーナメント状に組み立てられた複数のアームを用いることなくワイパーブレードを構成するワイパー（例えば、特表２００１−５０００９１号明細書等参照）に本発明に係るクリップベースが用いられる場合であっても、本発明の実施の形態において説明した効果と同様の効果を奏することが可能である。
【００２６】
【発明の効果】
以上説明したように、本発明に係るクリップベースは、リベットの頭部がベース本体部の側壁部に形成された係合凸部に係合することによってリベットの頭部の位置決めが行われるため、リベットの回転を防止することができ、リベットと貫設孔とのガタの発生及びガタ発生に伴うジャダの発生を抑制することが可能となる。
【図面の簡単な説明】
【図１】本発明に係るクリップベースを示した展開斜視図である。
【図２】本発明に係るクリップベースを示した斜視図である。
【図３】従来のクリップベースを示した展開斜視図である。
【図４】従来のクリップベースを示した斜視図である。
【符号の説明】
１、２０  クリップベース
２、２１  クリップフォルダ
３、２２  ベース本体部
４、２３  リベット
５、２６  収納部
６、２７  側壁部
１０、２４  頭部
３０  係合凸部（係止部）
【図１】
2005053283.tif 000003
【図２】
2005053283.tif 000004
【図３】
2005053283.tif 000005
【図４】
2005053283.tif 000006